(57)【要約】      （修正有）【課題】付着物の付着を防止ないし除去し、高い視認性を長期間維持することができると共に、寸法の異なる水槽にも適用容易なフロート式水位計を提供する。【解決手段】磁石（５）を内蔵したフロート（３）を移動自在に取りつけた垂直軸部材（１）と、タンク内に該垂直軸部材（１）を固定する固定部材（２）とを具備し、タンク満水時に該垂直軸部材上部に具備したスイッチ（６）を前記磁石（５）によりオンオフさせるフロート式水位計において、前記フロート（３）には洗浄部材（４）を設け、かつ垂直軸部材（１）には長さ調節機構を具備した。【選択図】図１
2006170927.tif 000002
【特許請求の範囲】
【請求項１】
フロート式水位計のフロート部に洗浄部材を付与してなるフロート式水位計。
【請求項２】
洗浄部材がブラシ、スポンジ又はヘラ状物である請求項１記載のフロート式水位計。
【請求項３】
フロート部を移動自在に取りつけた垂直軸部材をもち、垂直軸部材が長さ調節機構をもつと共に貯水槽内に垂直軸部材を固定する固定部材を具備してなる請求項１又は２記載のフロート式水位計。
【請求項４】
垂直軸部材の上部にスイッチが内蔵されており、フロートがその位置にきたときに作動して貯水を止めることを可能にする請求項３記載のフロート式水位計。
【発明の詳細な説明】
【技術分野】
【０００１】
本発明はフロート式水位計に関し、特に長期間目視による水位確認が可能なフロート式水位計に関する。
【背景技術】
【０００２】
水等を貯水する場合には貯水槽等（以下「タンク」と称する）が用いられるが、通常その水位を容易に確認するためにタンクの外側に円筒管（バイパス管）が取り付けられており、水位を目視で確認している。また、水位計を用いずにタンク自体に透明や透明に近い素材を用いることで水位を確認することも行われている。また、目視以外で水位を確認する方法としては、フロート式水位センサや電気信号を用いて外部に出力し、水位を確認する方法が知られている。これらの水位計にはタンクが満水になると水等を自動的に止めるための機能も有している。
【発明の開示】
【発明が解決しようとする課題】
【０００３】
本発明はタンク自体に水位計を有さず、主に目視により水位を確認する方式のタンクに用いる水位計を対象とするものである。
【０００４】
従来技術における目視による水位確認方法は、貯水する液体がスケール等を付着しやすい液体の場合、内部壁面や円筒管にスケール等が付着し、目視による水位の確認が困難になる。円筒管においては付着物で詰まりを起こし正しい水位を示さなくなり、水位確認の信頼性に欠ける。また、円筒管にフロートが入っている水位計もあるが、この場合も、円筒管に付着したスケール等でフロートが動かなくなってしまうおそれがある。その結果、タンク、円筒管を清掃するなどの作業が発生し手間暇を要し、場合によっては適切な清掃手段がなく交換を余儀なくされることもあり得る。
【０００５】
また、タンク自身がそれらの水位計を有していない場合は、タンクの改造、交換など大掛かりな作業を必要とし、多大な金額も発生する。
【０００６】
フロート式水位計は水位計内部のフロートが水位の変化で上下に動く構造になっており、タンクの外側から水位計を目視できるように、タンク外側に水位計を配するために取り付けたバイパス管やタンク内に水位計を配する場合のタンク壁面の少なくとも水位計対応部分がガラス等の透明素材でつくられている。この場合、スケール等を付着しやすい液体を貯水した場合、バイパス管内壁面やタンク内壁面にスケール等が付着し目視による水位の確認が困難になる。
【０００７】
本発明の目的は、水位計を有さないタンクに容易に取り付けることができ、スケール等の付着物の付着を防止ないし除去し、高い視認性を維持できる水位計を提供することにある。
さらに、タンクが満水になった場合、自動的に水を止めることもできる水位計を提供することにある。
【課題を解決するための手段】
【０００８】
本発明は、フロート式水位計のフロート部に洗浄部材を付与してなるフロート式水位計である。
好ましい態様において、本発明のフロート式水位計は上記洗浄部材がブラシ、スポンジ又はヘラ状物からなるものである。
【０００９】
水位計をタンク内に配する場合の好ましい態様において、本発明のフロート式水位計はフロート部を移動自在に取りつけた垂直軸部材をもち、垂直軸部材が長さ調節機構をもつと共に貯水槽内に垂直軸部材を固定する固定部材を具備している。よりさらに好ましい態様において、本発明のフロート式水位計はその上部にフロートスイッチを具備している。
【発明の効果】
【００１０】
本発明によれば、水位計のフロート部にブラシ等の洗浄部材を取りつけることにより、水位の変化に応じバイパス管又はタンクの内側を掃除することになり、スケールや藻等の汚れが付着しないか付着しても容易に除去することができることから長期間高い視認性を維持することができる。
【００１１】
この場合のブラシ等の洗浄部材にわずかな力でタンクの内側と接触すればよく、各種のプラスチック、ゴム、さらにはそれらの発泡体等から適宜の形状のものをつくることができる。
【００１２】
また水位計をタンク内に配する場合の好ましい態様において、垂直軸部材を伸縮可能とし且つ上下に固定部材を設けることにより、大きさの異なるタンクにも、タンクの改造なしに簡単に取りつけることができる。
【００１３】
また好ましい態様において、垂直軸部材の上部にスイッチを内蔵させ、タンクが満水になったときにフロートがその位置にきて作動するようにすることにより、自動的に貯水を止めることができる。
【発明を実施するための最良の形態】
【００１４】
以下、図面を用いて本発明を説明する。
図１は本発明の装置の一例を示す概略図であり、図２は水位計の伸縮状態を示す説明図である。
【００１５】
垂直軸部材(フレーム)１は円筒体からなっており、その上下に長さ調節可能な固定部材（タンク押え）２が取りつけられている。垂直軸部材１には水に浮く構造のフロート３が取りつけられている。フロート３にはブラシやスポンジやヘラ状物等の洗浄部材４が取りつけられていると共に磁石が内蔵されている。垂直軸部材の上部にはスイッチ６が内蔵されている。
【００１６】
垂直部材１と固定部材２は両者をネジで長さ調節可能なように取りつけることが好ましい。このような場合は固定部材２を回転させることにより、図２に示すように、水位計の全長を変化させて、大きさの異なる種々のタンクに取りつけることが可能となる。他の適宜の伸縮方式も採用しうる。
【００１７】
図３はフロートの動作を示す説明図である。
図３に示すようにフロート３は水に浮くため、タンクの水位と同じように上昇するのでフロート３により水位を容易に確認することが可能になり、同時に洗浄部材４がタンク内側壁面に届く位置に水位計を配置することにより、洗浄部材４がタンク内側壁面を擦りつけるので、タンク内の付着物の付着を防止しまた付着物を除去し、水位を確認しやすくすることが可能になる。
【００１８】
また、磁石５が内蔵されたフロート３が上昇していき垂直軸部材１の上部に内蔵されたスイッチ６に達したときのＯＮ／ＯＦＦによって、連動している外部のバルブ（図示せず）が閉じ、タンクへの貯水を止めることが可能になる。
【００１９】
図４は本発明の変形例を示す概略図である。図４に示すように、タンクの大きさに合わせた板の全周にブラシを付けたものをタンク内に挿入することにより、水位が変化するたびにタンク内全周の付着物を取り除くことが可能になる。
【００２０】
図５及び図６は本発明の装置の別の一例を示す概略図であり、図５はコの字型のバイパス管また図６はＬ字型のバイパス管をそれぞれタンクの外側に取りつけ、バイパス管内にブラシ等の洗浄部材を周辺部に付与したフロートを配した状態を示している。前記と同様、水位が変化するたびにバイパス管内壁の付着物を取り除き高い視認性を維持することができる。
【００２１】
本発明の水位計は主に貯水タンクに用いられるが、各種水槽や水以外の液体貯槽にも用いることができ、これらへの使用も本発明に包含される。
【図面の簡単な説明】
【００２２】
【図１】本発明のフロート式水位計の一例を示す概略図。
【図２】図１のフロート式水位計の伸縮状態を示す説明図。
【図３】タンク内でのフロートの動作を示す説明図。
【図４】本発明の別の態様のフロート式水位計を示す概略図。
【図５】本発明の別の態様のフロート式水位計を示す概略図。
【図６】本発明の別の態様のフロート式水位計を示す概略図。
【符号の説明】
【００２３】
１：垂直軸部材
２：固定部材
３：フロート
４：ブラシ
５：磁石
６：スイッチ
【図１】
2006170927.tif 000003
【図２】
2006170927.tif 000004
【図３】
2006170927.tif 000005
【図４】
2006170927.tif 000006
【図５】
2006170927.tif 000007
【図６】
2006170927.tif 000008